(57)【特許請求の範囲】
【請求項１】
第１の画像を取得するための取得手段と、
実行可能な出力処理を画像上の領域と対応付けて記憶するための記憶手段と、
前記第１の画像上の、前記実行可能な出力処理に関連付けられた領域を判定することにより、前記第１の画像に前記実行可能な出力処理が施されているか否かを判別するための判別手段と、
前記判別手段により前記第１の画像に施されていると判断された前記出力処理を、前記第１の画像とは異なる第２の画像についての出力処理の設定として決定するための決定手段とを備え、
前記実行可能な出力処理には所定の画像を合成する画像合成処理が含まれ、前記記憶手段は前記所定の画像を合成可能な画像上の領域を記憶する、画像処理装置。
【請求項２】
第１の画像を取得するための取得手段と、
実行可能な出力処理を画像上の領域と対応付けて記憶するための記憶手段と、
前記第１の画像上の、前記実行可能な出力処理に関連付けられた領域を判定することにより、前記第１の画像に前記実行可能な出力処理が施されているか否かを判別するための判別手段と、
前記判別手段により前記第１の画像に施されていると判断された前記出力処理を、前記第１の画像とは異なる第２の画像についての出力処理の設定として決定するための決定手段とを備え、
前記実行可能な出力処理には複数ページの画像を１ページに集約する集約処理が含まれ、前記記憶手段は集約処理時に生ずる画像上の空白領域を記憶する、画像処理装置。
【請求項３】
前記画像処理装置は、当該画像処理装置に前記第２の画像に対する出力処理の設定を行なう制御装置に接続可能であり、
前記決定手段により決定された前記出力処理の設定を、前記第２の画像に対する出力処理の設定として利用可能とするために、前記制御装置に送信するための送信手段をさらに備える、請求項１または２に記載の画像処理装置。
【請求項４】
前記制御装置は、プリンタドライバを用いて前記第２の画像に対する出力処理の設定を行ない、
前記送信手段は、前記プリンタドライバの設定として利用可能とするために、前記決定手段により決定された前記出力処理の設定を前記制御装置に送信する、請求項３に記載の画像処理装置。
【請求項５】
前記実行可能な出力処理には画像形成された記録紙に対するステープル処理が含まれ、前記記憶手段は前記ステープル処理が可能な画像上の領域を記憶する、請求項１〜４のいずれかに記載の画像処理装置。
【請求項６】
前記実行可能な出力処理には画像形成された記録紙に対するパンチ処理が含まれ、前記記憶手段は前記パンチ処理が可能な画像上の領域を記憶する、請求項１〜４のいずれかに記載の画像処理装置。
【請求項７】
前記取得手段は、原稿をスキャンすることで前記第１の画像データを取得する、請求項１〜６のいずれかに記載の画像処理装置。
【請求項８】
前記取得手段は、他の装置から前記第１の画像データを取得する、請求項１〜６のいずれかに記載の画像処理装置。
【請求項９】
画像処理装置と制御装置とが接続された画像処理システムであって、
前記画像処理装置は、
第１の画像を取得するための取得手段と、
実行可能な出力処理を画像上の領域と関連付けて記憶するための記憶手段と、
前記第１の画像上の、前記実行可能な出力処理に関連付けられた領域を判定することにより、前記第１の画像に前記実行可能な出力処理が施されているか否かを判別するための判別手段と、
前記判別手段により前記第１の画像に施されていると判断された前記出力処理の設定を前記制御装置に送信するための送信手段とを備え、
前記制御装置は、
前記送信手段により送信された出力処理の設定を受信するための受信手段と、
受信された前記出力処理の設定を、前記第１の画像とは異なる第２の画像についての出力処理の設定として決定するための決定手段とを備え、
前記実行可能な出力処理には所定の画像を合成する画像合成処理が含まれ、前記記憶手段は前記所定の画像を合成可能な画像上の領域を記憶する、画像処理システム。
【請求項１０】
画像処理装置と制御装置とが接続された画像処理システムであって、
前記画像処理装置は、
第１の画像を取得するための取得手段と、
実行可能な出力処理を画像上の領域と関連付けて記憶するための記憶手段と、
前記第１の画像上の、前記実行可能な出力処理に関連付けられた領域を判定することにより、前記第１の画像に前記実行可能な出力処理が施されているか否かを判別するための判別手段と、
前記判別手段により前記第１の画像に施されていると判断された前記出力処理の設定を前記制御装置に送信するための送信手段とを備え、
前記制御装置は、
前記送信手段により送信された出力処理の設定を受信するための受信手段と、
受信された前記出力処理の設定を、前記第１の画像とは異なる第２の画像についての出力処理の設定として決定するための決定手段とを備え、
前記実行可能な出力処理には複数ページの画像を１ページに集約する集約処理が含まれ、前記記憶手段は集約処理時に生ずる画像上の空白領域を記憶する、画像処理システム。
【請求項１１】
前記制御装置は、プリンタドライバを用いて前記第２の画像に対する出力処理の設定を行ない、
前記決定手段は、前記受信された出力処理の設定を前記プリンタドライバにおける出力処理の設定として決定する、請求項９または１０に記載の画像処理システム。
【請求項１２】
画像処理装置における処理方法であって、
前記画像処理装置は、実行可能な出力処理を画像上の領域と対応付けて記憶するための記憶装置を含み、
第１の画像を取得するステップと、
前記第１の画像上の、前記実行可能な出力処理に関連付けられた領域を判定することにより、前記第１の画像に前記実行可能な出力処理が施されているか否かを判別するステップと、
前記判別するステップにより前記第１の画像に施されていると判断された前記出力処理を、前記第１の画像とは異なる第２の画像についての出力処理の設定として決定するステップとを備え、
前記実行可能な出力処理には所定の画像を合成する画像合成処理が含まれ、前記記憶装置は前記所定の画像を合成可能な画像上の領域を記憶する、画像処理方法。
【請求項１３】
画像処理装置における処理方法であって、
前記画像処理装置は、実行可能な出力処理を画像上の領域と対応付けて記憶するための記憶装置を含み、
第１の画像を取得するステップと、
前記第１の画像上の、前記実行可能な出力処理に関連付けられた領域を判定することにより、前記第１の画像に前記実行可能な出力処理が施されているか否かを判別するステップと、
前記判別するステップにより前記第１の画像に施されていると判断された前記出力処理を、前記第１の画像とは異なる第２の画像についての出力処理の設定として決定するステップとを備え、
前記実行可能な出力処理には複数ページの画像を１ページに集約する集約処理が含まれ、前記記憶装置は集約処理時に生ずる画像上の空白領域を記憶する、画像処理方法。
【請求項１４】
前記画像処理装置は、当該画像処理装置に前記第２の画像に対する出力処理の設定を行なう制御装置に接続可能であり、
前記決定するステップにより決定された前記出力処理の設定を、前記第２の画像に対する出力処理の設定として利用可能とするために、前記制御装置に送信するステップをさらに備える、請求項１２または１３に記載の画像処理方法。
【請求項１５】
前記制御装置は、プリンタドライバを用いて前記第２の画像に対する出力処理の設定を行ない、
前記送信するステップでは、前記プリンタドライバの設定として利用可能とするために、前記決定するステップにおいて決定された前記出力処理の設定を前記制御装置に送信する、請求項１４に記載の画像処理方法。
【請求項１６】
画像処理装置のプロセッサに画像処理を実行させるためのプログラムであって、
前記画像処理装置は、実行可能な出力処理を画像上の領域と対応付けて記憶するための記憶装置を含み、
前記プロセッサに、
第１の画像を取得するステップと、
前記第１の画像上の、前記実行可能な出力処理に関連付けられた領域を判定することにより、前記第１の画像に前記実行可能な出力処理が施されているか否かを判別するステップと、
前記判別するステップにより前記第１の画像に施されていると判断された前記出力処理を、前記第１の画像とは異なる第２の画像についての出力処理の設定として決定するステップとを実行させ、
前記実行可能な出力処理には所定の画像を合成する画像合成処理が含まれ、前記記憶装置は前記所定の画像を合成可能な画像上の領域を記憶する、画像処理プログラム。
【請求項１７】
画像処理装置のプロセッサに画像処理を実行させるためのプログラムであって、
前記画像処理装置は、実行可能な出力処理を画像上の領域と対応付けて記憶するための記憶装置を含み、
前記プロセッサに、
第１の画像を取得するステップと、
前記第１の画像上の、前記実行可能な出力処理に関連付けられた領域を判定することにより、前記第１の画像に前記実行可能な出力処理が施されているか否かを判別するステップと、
前記判別するステップにより前記第１の画像に施されていると判断された前記出力処理を、前記第１の画像とは異なる第２の画像についての出力処理の設定として決定するステップとを実行させ、
前記実行可能な出力処理には複数ページの画像を１ページに集約する集約処理が含まれ、前記記憶装置は集約処理時に生ずる画像上の空白領域を記憶する、画像処理プログラム。
【請求項１８】
前記画像処理装置は、当該画像処理装置に前記第２の画像に対する出力処理の設定を行なう制御装置に接続可能であり、
前記決定するステップにより決定された前記出力処理の設定を、前記第２の画像に対する出力処理の設定として利用可能とするために、前記制御装置に送信するステップをさらに実行させる、請求項１６または１７に記載の画像処理プログラム。
【請求項１９】
前記制御装置は、プリンタドライバを用いて前記第２の画像に対する出力処理の設定を行ない、
前記送信するステップでは、前記プリンタドライバの設定として利用可能とするために、前記決定するステップにおいて決定された前記出力処理の設定を前記制御装置に送信する、請求項１８に記載の画像処理プログラム。
【発明の詳細な説明】
【技術分野】
【０００１】
この発明は画像処理装置、画像処理システム、画像処理方法、および画像処理プログラムに関し、特に、画像データを基に画像形成処理を行なう画像処理装置、画像処理システム、画像処理方法、および画像処理プログラムに関する。
【背景技術】
【０００２】
画像処理装置としてのプリンタや複写機やその複合装置であるＭＦＰ（Multi Function Peripheral）などを用いて画像形成処理を行なわせる場合に、すでに画像処理装置で画像形成されて出力された原稿が手元にあり、その原稿と同じ処理条件で画像形成処理を行なわせたい場合がある。
【０００３】
ここで、画像形成処理を行なわせるための操作として、いわゆるＰＣプリントと言われる、ＬＡＮ（Local Area Network）等で接続された制御装置としてのパーソナルコンピュータ（以下、ＰＣとも称する）から画像形成処理の指令を送信する場合には、ＰＣのキーボードなどを用いてプリンタドライバに対して処理条件を入力して設定する操作が挙げられる。
【０００４】
しかしながら、上述の従来の操作方法では、ユーザは手元にある原稿から処理条件を判別してプリンタドライバに設定しなければならず、処理条件の判別に不慣れなユーザである場合には原稿から処理条件を判別することが難しく、所望する処理条件を設定することができない場合がある、という問題がある。また、その設定操作が煩雑であるという問題もあった。その問題を解消するものとして、たとえば、以下の発明が開示されている。
【０００５】
すなわち、特開２００８−１４７９５４号公報（特許文献１）は、スキャン動作に先立って画像形成装置の備えるスキャナに原稿に付加されたバーコードなどで表わされたスキャン条件を読み込ませ（プレスキャン）、その処理によって得られたスキャン条件に基づいて当該原稿をスキャンする技術を開示している。また、特開２００２−３５４２１２号公報（特許文献２）や特開２００８−０２８７０６号公報（特許文献３）は、原稿に替えて専用シートを読み込むことで処理条件を入力する操作を開示している。
【先行技術文献】
【特許文献】
【０００６】
【特許文献１】特開２００８−１４７９５４号公報
【特許文献２】特開２００２−３５４２１２号公報
【特許文献３】特開２００８−０２８７０６号公報
【発明の概要】
【発明が解決しようとする課題】
【０００７】
しかしながら、文献１の操作方法では、前提として予め原稿にバーコードなどによって処理条件が付加されている必要があるため、そのような加工がされていない通常の原稿に基づいては文献１の操作方法では当該原稿と同じ処理条件を設定することができない、という問題がある。
【０００８】
また、文献２、３も同様で、予め専用シートが用意されていることが前提であり、そのようなものがない場合には当該原稿と同じ処理条件を設定することができない、という問題がある。
【０００９】
さらに、処理条件の判別に不慣れなユーザである場合には、手元にある原稿からその処理条件に対応した専用シートを判別することが難しく、所望する処理条件を設定することができない場合がある、という問題がある。
【００１０】
本発明はこのような問題に鑑みてなされたものであって、画像形成処理の条件設定を容易に行なうことのできる画像処理装置、画像処理システム、画像処理方法、および画像処理プログラムを提供することを目的の一つとする。
【課題を解決するための手段】
【００１１】
上記目的を達成するために、本発明のある局面に従うと、画像処理装置は、第１の画像を取得するための取得手段と、実行可能な出力処理を画像上の領域と対応付けて記憶するための記憶手段と、第１の画像上の、実行可能な出力処理に関連付けられた領域を判定することにより、第１の画像に実行可能な出力処理が施されているか否かを判別するための判別手段と、判別手段により第１の画像に施されていると判断された出力処理を、第１の画像とは異なる第２の画像についての出力処理の設定として決定するための決定手段とを備える。
【００１２】
好ましくは、画像処理装置は、当該画像処理装置に第２の画像に対する出力処理の設定を行なう制御装置に接続可能であり、決定手段により決定された出力処理の設定を、第２の画像に対する出力処理の設定として利用可能とするために、制御装置に送信するための送信手段をさらに備える。
【００１３】
より好ましくは、制御装置は、プリンタドライバを用いて第２の画像に対する出力処理の設定を行ない、送信手段は、プリンタドライバの設定として利用可能とするために、決定手段により決定された出力処理の設定を制御装置に送信する。
【００１４】
好ましくは、実行可能な出力処理には画像形成された記録紙に対する後処理が含まれ、記憶手段は後処理が可能な画像上の領域を記憶する。
【００１５】
より好ましくは、記録紙に対する後処理にはステープル処理が含まれ、記憶手段はステープル処理が可能な画像上の領域を記憶する。
【００１６】
好ましくは、記録紙に対する後処理にはパンチ処理が含まれ、記憶手段はパンチ処理が可能な画像上の領域を記憶する。
【００１７】
好ましくは、実行可能な出力処理には所定の画像を合成する画像合成処理が含まれ、記憶手段は上記所定の画像を合成可能な画像上の領域を記憶する。
【００１８】
好ましくは、実行可能な出力処理には複数ページの画像を１ページに集約する集約処理が含まれ、記憶手段は集約処理時に生ずる画像上の空白領域を記憶する。
【００１９】
好ましくは、取得手段は、原稿をスキャンすることで第１の画像データを取得する。
好ましくは、取得手段は、他の装置から第１の画像データを取得する。
【００２０】
本発明の他の局面に従うと、画像処理システムは画像処理装置と制御装置とが接続された画像処理システムであって、画像処理装置は、第１の画像を取得するための取得手段と、実行可能な出力処理を画像上の領域と関連付けて記憶するための記憶手段と、記第１の画像上の、実行可能な出力処理に関連付けられた領域を判定することにより、第１の画像に実行可能な出力処理が施されているか否かを判別するための判別手段と、記判別手段により第１の画像に施されていると判断された出力処理の設定を制御装置に送信するための送信手段とを備え、制御装置は、送信手段により送信された出力処理の設定を受信するための受信手段と、受信された出力処理の設定を、第１の画像とは異なる第２の画像についての出力処理の設定として決定するための決定手段とを備える。
【００２１】
好ましくは、制御装置は、プリンタドライバを用いて第２の画像に対する出力処理の設定を行ない、決定手段は、受信された出力処理の設定をプリンタドライバにおける出力処理の設定として決定する。
【００２２】
本発明のさらに他の局面に従うと、画像処理方法は画像処理装置における処理方法であって、画像処理装置は、実行可能な出力処理を画像上の領域と対応付けて記憶するための記憶装置を含み、第１の画像を取得するステップと、第１の画像上の、実行可能な出力処理に関連付けられた領域を判定することにより、第１の画像に実行可能な出力処理が施されているか否かを判別するステップと、判別するステップにより第１の画像に施されていると判断された出力処理を、第１の画像とは異なる第２の画像についての出力処理の設定として決定するステップとを備える。
【００２３】
好ましくは、画像処理装置は、当該画像処理装置に第２の画像に対する出力処理の設定を行なう制御装置に接続可能であり、決定するステップにより決定された出力処理の設定を、第２の画像に対する出力処理の設定として利用可能とするために、制御装置に送信するステップをさらに備える。
【００２４】
より好ましくは、制御装置は、プリンタドライバを用いて第２の画像に対する出力処理の設定を行ない、送信するステップでは、プリンタドライバの設定として利用可能とするために、決定するステップにおいて決定された出力処理の設定を制御装置に送信する。
【００２５】
本発明のさらに他の局面に従うと、画像処理プログラムは画像処理装置のプロセッサに画像処理を実行させるためのプログラムであって、画像処理装置は、実行可能な出力処理を画像上の領域と対応付けて記憶するための記憶装置を含み、プロセッサに、第１の画像を取得するステップと、第１の画像上の、実行可能な出力処理に関連付けられた領域を判定することにより、第１の画像に実行可能な出力処理が施されているか否かを判別するステップと、判別するステップにより第１の画像に施されていると判断された出力処理を、第１の画像とは異なる第２の画像についての出力処理の設定として決定するステップとを実行させる。
【００２６】
好ましくは、画像処理装置は、当該画像処理装置に第２の画像に対する出力処理の設定を行なう制御装置に接続可能であり、決定するステップにより決定された出力処理の設定を、第２の画像に対する出力処理の設定として利用可能とするために、制御装置に送信するステップをさらに実行させる。
【００２７】
より好ましくは、制御装置は、プリンタドライバを用いて第２の画像に対する出力処理の設定を行ない、送信するステップでは、プリンタドライバの設定として利用可能とするために、決定するステップにおいて決定された出力処理の設定を制御装置に送信する。
【発明の効果】
【００２８】
この発明によると、画像形成処理の条件設定を容易に行なうことのできる。また、見本として予め原稿で処理状態を確認した上で容易にその条件と同じ条件を設定することができる。
【図面の簡単な説明】
【００２９】
【図１】本実施の形態にかかる画像形成システムの構成の具体例を示す図である。
【図２】本実施の形態にかかる画像形成システムに含まれる画像形成装置の概略構成図である。
【図３】画像形成装置の操作パネルの具体例を示す図である。
【図４】画像形成装置内の制御部のハードウェア構成を示す模式図である。
【図５】制御装置のハードウェア構成を示す模式図である。
【図６】第１の実施の形態にかかる画像形成装置の制御部における制御構造を示すブロック図である。
【図７】第１の実施の形態にかかる画像形成装置における判別処理の手順を示すフローチャートである。
【図８】ステープル処理の処理条件を判別する処理の手順の具体例を示す図である。
【図９】スタンプ処理の処理条件を判別する処理の手順の具体例を示す図である。
【図１０】変形例１にかかる画像形成装置における判別処理の手順を示すフローチャートである。
【図１１】変形例２にかかる画像形成装置における判別処理の手順を示すフローチャートである。
【図１２】第２の実施の形態にかかる制御装置の制御構造を示すブロック図である。
【図１３】第２の実施の形態にかかる制御装置における判別処理の手順を示すフローチャートである。
【図１４】ステープル処理における処理条件を判定するためのテンプレートの具体例を示す図である。
【図１５】パンチ処理における処理条件を判定するためのテンプレートの具体例を示す図である。
【図１６】Ｎｉｎ１（集約）処理における処理条件を判定するためのテンプレートの具体例を示す図である。
【発明を実施するための形態】
【００３０】
以下に、図面を参照しつつ、本発明の実施の形態について説明する。以下の説明では、同一の部品および構成要素には同一の符号を付してある。それらの名称および機能も同じである。
【００３１】
＜画像形成システムの構成＞
図１は、本実施の形態にかかる画像形成システムの構成の具体例を示す図である。図１を参照して、本実施の形態にかかる画像形成システムは、ＬＡＮ（Local Area Network）等の通信回線３００で接続された画像形成装置１００と画像形成装置を制御するための制御装置２００とを含む。
【００３２】
図１では複数の制御装置２００Ａ，２００Ｂ，…，が含まれる例が示されている。これら複数の制御装置２００Ａ，２００Ｂ，…，を代表させて制御装置２００と称する。なお、制御装置２００は必ずしも複数必要なわけではなく、１つだけ画像形成システムに含まれていてもよい。
【００３３】
制御装置２００としては、画像形成装置１００と通信回線３００を介して通信可能であって、画像形成装置１００に対する制御信号を生成するための情報である制御情報を入力するためのキーボード等の入力手段を有するものであればどのような装置であってもよい。具体的に制御装置２００としては、一般的なパーソナルコンピュータが挙げられる。
【００３４】
＜画像形成装置の構成＞
画像形成装置１００としては、スキャン機能およびプリント機能を有する画像形成装置であればどのような装置あってもよい。具体的に画像形成装置１００としては、コピー機、複合機（Multi Function Peripheral）などが挙げられる。以下の説明では、画像形成装置が、複写機能、プリント機能、ファクシミリ機能、およびスキャナ機能といった複数の機能を搭載した複合機であって、フルカラープリントが可能なプリントエンジンを搭載した例について説明する。
【００３５】
図２は、本実施の形態にかかる画像形成装置１００の概略構成図である。図２を参照して、画像形成装置１００は、自動原稿搬送部２と、スキャナ３と、プリントエンジン４と、給紙部５と、操作パネル６と、後処理部７とを含む。
【００３６】
自動原稿搬送部２は、原稿の連続的なスキャンを行なうためのものであり、原稿給紙台２１と、送出ローラ２２と、レジストローラ２３と、搬送ドラム２４と、排紙台２５とを含む。スキャン対象の原稿は、原稿給紙台２１上に載置され、送出ローラ２２の作動により一枚ずつ送り出される。そして、この送り出された原稿は、レジストローラ２３により一旦停止されて先端が整えられた後に、搬送ドラム２４へ搬送される。さらに、この原稿は、搬送ドラム２４のドラム面と一体に回転し、その過程において後述するスキャナ３により画像面がスキャンされる。その後、原稿は、搬送ドラム２４のドラム面を略半周した位置においてドラム面から分離されて排紙台２５へ排出される。
【００３７】
スキャナ３は、第１ミラーユニット３１と、第２ミラーユニット３２と、結像レンズ３３と、撮像素子３４と、プラテンガラス３５とを含む。第１ミラーユニット３１は、光源３１１とミラー３１２とを含み、搬送ドラム２４の直下の位置において、通過する原稿に向けて光源３１１から光を照射する。この光源３１１から照射された光のうち、原稿によって反射した光はミラー３１２により反射され、第２ミラーユニット３２へ入射する。第２ミラーユニット３２は、原稿の移動方向に直交する向きに沿って配置されたミラー３２１および３２２を含み、第１ミラーユニット３１からの反射光は、ミラー３２１および３２２で順次反射されて結像レンズ３３へ導かれる。結像レンズ３３は、この反射光をライン状の撮像素子３４に結像する。
【００３８】
画像形成装置１００では、プラテンガラス３５に載置された原稿から画像データを取得することも可能である。この場合には、可動式の光源３５１およびミラー３５２が原稿の画像面をスキャンする。このスキャンに伴って、光源３５１から与えられた光は、原稿の移動方向に直交する向きに沿って配置されたミラー３５３および３５４で順次反射されて結像レンズ３３へ導かれる。
【００３９】
撮像素子３４は、受光した反射光を電気信号に変換して、後述する制御部１０へ出力する。スキャナ３によって取得された原稿の画像データ、すなわち撮像素子３４から出力される電気信号は、制御部１０にて各種の画像処理が行なわれる。
【００４０】
プリントエンジン４は、電子写真方式の画像形成プロセスの一例として、フルカラーのプリント出力が可能である。すなわち、プリントエンジン４は、画像形成処理を実行する作像部に相当する。具体的には、プリントエンジン４は、それぞれイエロー（Ｙ）、マゼンタ（Ｍ）、シアン（Ｃ）、ブラック（Ｋ）の各色のトナー像を生成するイメージング（作像）ユニット４４Ｙ，４４Ｍ，４４Ｃ，４４Ｋを含む。イメージングユニット４４Ｙ，４４Ｍ，４４Ｃ，４４Ｋは、プリントエンジン４内に張架されて駆動される転写ベルト２７に沿って、その順序に配置される。
【００４１】
イメージングユニット４４Ｙ，４４Ｍ，４４Ｃ，４４Ｋは、それぞれ画像書込部４３Ｙ，４３Ｍ，４３Ｃ，４３Ｋと、感光体ドラム４１Ｙ，４１Ｍ，４１Ｃ，４１Ｋとを含む。画像書込部４３Ｙ，４３Ｍ，４３Ｃ，４３Ｋの各々は、対象の画像データに含まれる各色イメージに応じたレーザ光を発するレーザダイオードと、このレーザ光を偏向して対応の感光体ドラム４１Ｙ，４１Ｍ，４１Ｃ，４１Ｋの表面を主走査方向に露光させるポリゴンミラーとを含んでいる。
【００４２】
感光体ドラム４１Ｙ，４１Ｍ，４１Ｃ，４１Ｋの表面には、上述ような画像書込部４３Ｙ，４３Ｍ，４３Ｃ，４３Ｋによる露光によって静電潜像が形成され、この静電潜像がそれぞれ対応するトナーユニット４４１Ｙ，４４１Ｍ，４４１Ｃ，４４１Ｋから供給されるトナー粒子によってトナー像として現像される。
【００４３】
感光体ドラム４１Ｙ，４１Ｍ，４１Ｃ，４１Ｋの表面に現像された各色のトナー像は、転写ベルト２７に順次転送される。これを一次転写という。さらに、この転写ベルト２７上に重ねられたトナー像は、給紙部５からタイミングを合わせて供給される記録紙にさらに転写される。これを二次転写という。転写ベルト２７を懸架するローラ対の一つが二次転写ローラとして機能し、該ローラ対によって、その間のニップ部に供給される記録紙に転写ベルト２７上のトナー像が二次転写される。
【００４４】
この記録紙上に転写されたトナー像は、下流部に配置された定着部において定着された後、トレイ５７に排出される。
【００４５】
なお、本発明は、上述のようなフルカラー（４色）のトナー像を重ね合わせるプリントエンジンに限られず、たとえば「黒」および「赤」の２色のトナー像を形成可能な画像形成装置にも適用可能である。
【００４６】
上述のイメージングユニット４４Ｙ，４４Ｍ，４４Ｃ，４４Ｋにおける動作と並行して、記録紙を収容する給紙部５の給紙カセットにそれぞれ対応する送出ローラ５２，５３，５４および手差給紙部２６のうち、画像形成に用いられるべき記録紙に対応する部位が作動して記録紙を供給する。この供給された記録紙は、搬送ローラ５５およびタイミングローラによって搬送され、転写ベルト２７上に形成されたトナー像に同期するように、二次転写ローラのニップ部（二次転写部）に給紙される。
【００４７】
定着装置４７は、加熱ローラ４７１と加圧ローラ４７２とを含む。加熱ローラ４７１は、記録紙を加熱することで、その上に転写されたトナーを溶融する。さらに、加熱ローラ４７１と加圧ローラ４７２とで圧縮力を加えることにより、溶融したトナーが記録紙上に定着される。そして、定着後の記録紙は後処理部７を経てトレイ５７に排出される。なお、定着装置４７としては、図２に示すような定着ローラを用いた定着方式に代えて、定着ベルトなど用いた定着方式、もしくは非接触の定着方式を採用してもよい。
【００４８】
後処理部７は、トナー画像が形成された記録紙に対して後処理を施す。後処理としては、たとえば、所定の箇所に穴（パンチ穴）をあけるパンチ機能と、所定枚数を針（ステープル針）で束ねるステープル機能と、製本機能とが挙げられる。
【００４９】
画像形成装置１００の上面には操作パネル６が設けられる。図３は、操作パネル６の具体例を示す図である。図３を参照して、操作パネル６は、表示部６１と、テンキー６２などの入力部とに加えて、後述する、原稿の処理条件を判別させる該原稿の読取の開始を指示するための開始キー６３をさらに含む。
【００５０】
ここで、「処理条件」とは、画像形成装置１００で画像データに対する処理を施す際の処理の条件を指し、詳細は後述する。ここでの「処理」は、スキャン処理やプリント処理やファクシミリ送信処理のための処理や、いわゆる後処理と言われるトナー画像が形成された記録紙に対する処理、などを含む。
【００５１】
＜画像形成装置の制御部の構成＞
図４は、本実施の形態にかかる画像形成装置１００内の制御部１０のハードウェア構成を示す模式図である。
【００５２】
図４を参照して、制御部１０は、処理部であるＣＰＵ（Central Processing Unit）１０２と、記憶部であるＲＡＭ（Random Access Memory）１０４、ＲＯＭ（Read Only Memory）１０６、ＥＥＰＲＯＭ（Electrical Erasable and Programmable Read Only Memory）１０８、およびＨＤＤ（Hard Disk Drive）１１０と、通信部である外部通信Ｉ／Ｆ（インターフェイス：Interface）１１２および内部通信Ｉ／Ｆ１１４とを含む。なお、これらの部位は、内部バス１１６を介して互いに接続される。
【００５３】
制御部１０では、ＣＰＵ１０２が、ＲＯＭ１０６などに予め格納されている各種処理を実行するためのプログラムをＲＡＭ１０４などに展開して実行することで、画像形成装置１００が制御される。
【００５４】
ＲＡＭ１０４は、揮発性メモリであり、ＣＰＵ１０２のワークメモリとして使用される。より具体的には、ＲＡＭ１０４には、実行されるプログラム自体に加えて、処理対象の画像データや各種変数データが一時的に格納される。ＥＥＰＲＯＭ１０８は、典型的には不揮発性の半導体メモリであり、画像形成装置１００のＩＰアドレスやネットワークドメインなどを各種設定値を記憶する。ＨＤＤ１１０は、典型的には不揮発性の磁気メモリであり、制御装置２００から受信した印刷ジョブやスキャナ３によって取得した画像データなどを蓄積する。
【００５５】
外部通信Ｉ／Ｆ１１２は、典型的にはイーサネット（登録商標）といった汎用的な通信プロトコルをサポートし、通信回線３００を介して制御装置２００や他の画像形成装置との間でデータ通信を提供する。
【００５６】
内部通信Ｉ／Ｆ１１４は、操作パネル６などと接続され、操作パネル６に対するユーザ操作に応じた信号を受信して、ＣＰＵ１０２へ伝送するとともに、ＣＰＵ１０２からの命令に従って、操作パネル６にメッセージなどを表示するために必要な信号を送信する。
【００５７】
＜制御装置の制御部の構成＞
図５は、本実施の形態にかかる制御装置２００のハードウェア構成を示す模式図である。
【００５８】
図５を参照して、制御装置２００は、処理部であるＣＰＵ１０１と、記憶部であるＲＡＭ１０３、ＲＯＭ１０５、ＥＥＰＲＯＭ１０５、およびＨＤＤ１０９と、通信部である外部通信Ｉ／Ｆ１１２および内部通信Ｉ／Ｆ１１４とを含む。なお、これらの部位は、内部バス１１５を介して互いに接続される。
【００５９】
ＣＰＵ１０１は、ＲＯＭ１０５などに予め格納されている各種処理を実行するためのプログラムをＲＡＭ１０３などに展開して実行することで、制御装置２００を制御する。
【００６０】
ＲＡＭ１０３は、揮発性メモリであり、ＣＰＵ１０１のワークメモリとして使用される。より具体的には、ＲＡＭ１０３には、実行されるプログラム自体に加えて、画像形成装置１００に画像形成処理を実行させるためのプログラムであるプリンタドライバなどが格納される。ＥＥＰＲＯＭ１０７は、典型的には不揮発性の半導体メモリであり、当該制御装置２００のＩＰアドレスやネットワークドメインなどを各種設定値を記憶する。ＨＤＤ１０９は、典型的には不揮発性の磁気メモリであり、画像形成装置１００に対して送信する印刷ジョブや画像形成装置１００から取得した画像データや画像形成装置１００から送信された処理条件などを蓄積する。
【００６１】
外部通信Ｉ／Ｆ１１１は、典型的にはイーサネット（登録商標）といった汎用的な通信プロトコルをサポートし、通信回線３００を介して画像形成装置１００や他の制御装置との間でデータ通信を提供する。
【００６２】
内部通信Ｉ／Ｆ１１３は、図示しないキーボードやディスプレイなどと接続され、キーボード等に対するユーザ操作に応じた信号を受信して、ＣＰＵ１０１へ伝送するとともに、ＣＰＵ１０１からの命令に従って、ディスプレイにメッセージなどを表示するために必要な信号を送信する。
【００６３】
［第１の実施の形態］
＜操作手順＞
第１の実施の形態におけるユーザの操作手順として、以下の手順が想定される：
ＳＴＥＰ１…処理条件を判定するための原稿を画像形成装置１００で読み込ませる、
ＳＴＥＰ２…上記原稿とは異なる原稿を画像処理対象として画像形成装置１００で読み込ませ、またはいわゆるＢＯＸなどと称されるＨＤＤ１１０の所定領域から上記原稿とは異なる原稿を指定して、先の原稿から判定された処理条件で画像処理を実行させる。
【００６４】
上記ＳＴＥＰ１で読み込ませる原稿を、以下、「条件設定用原稿」とも称し、ＳＴＥＰ２で読み込ませる原稿を、以下、「処理対象原稿」とも称する。
【００６５】
上記ＳＴＥＰ１では、ユーザは具体的に、条件設定用原稿を原稿給紙台２１に載置して、開始キー６３を押下する。これにより、画像形成装置１００において、条件設定用原稿から、当該原稿の元の画像データに対して施された画像形成処理の条件が判定され、処理条件として設定される。
【００６６】
上記ＳＴＥＰ２では、条件設定用原稿とは異なる原稿が処理対象原稿として読み込みまたは指定されるものとしているが、もちろん、同じ原稿が読み込まれ、または指定されてもよい。また、条件設定用原稿に基づいて判定された処理条件を、自動的に（再度、処理原稿として条件設定用原稿を読み込ませることなく）条件設定用原稿の読取り画像に適用して画像処理を実行させるようにしてもよい。
【００６７】
＜画像形成装置の制御構造＞
画像形成装置１００では、開始キー６３を押下する操作を受け付けることにより原稿給紙台２１に載置された原稿を条件設定用原稿として読み込み、当該原稿の元の画像データに対して施された画像形成処理の条件を判定して処理条件として設定する。
【００６８】
スキャン処理やプリント処理やファクシミリ送信処理のための処理については、処理条件として、たとえば、カラーかモノクロかを示すカラー条件、原稿サイズ、両面印刷か片面印刷かを示す印刷面条件、綴じ代等のレイアウト条件、１枚の記録紙に複数（Ｎ）ページ分の画像データをプリントする際のページ数である集約枚数（Ｎ）条件、パンチ処理におけるパンチ穴の位置や数の条件、ステープル処理におけるステープルの位置や数の条件、製本処理の条件、などが該当する。画像データに対して、ヘッダやフッダなどの情報を付加して画像形成したり、いわゆるウォーターマークなどと言われる所定のスタンプ画像を付加（合成）したりする場合、その位置や内容の条件、などが該当する。以降の説明において、これらの処理を一括して「画像形成処理」と称し、上述のような条件を「処理条件」と称する。
【００６９】
条件設定用原稿を読み込んで得られた画像データに基づいて処理条件を判別して設定する処理を実行するための画像形成装置１００の制御構造について説明する。
【００７０】
図６は、第１の実施の形態にかかる画像形成装置１００の制御部１０における制御構造を示すブロック図である。
【００７１】
図６を参照して、制御部１０は、後処理部７での後処理を制御するための後処理制御部１１と、スキャナ３を制御するためのスキャナ制御部１３と、プリントエンジン４を制御するためのプリンタ制御部１４と、操作パネル６からのユーザ操作に応じた信号の入力を受け付けるための操作入力部１５と、画像データの処理を行なうための画像処理部１６と、後述する判別処理を行なって画像データから処理条件を判別するための画像情報判別部１７と、ファクシミリ機能を制御することによってファクシミリ通信を制御するためのＦＡＸ制御部１８と、外部通信Ｉ／Ｆ１１２でのネットワーク通信を制御するためのネットワーク制御部１９と、画像データを記憶するための画像記憶部２０と、後述する判別処理で用いられるテンプレートを格納するための格納部１２とを含む。
【００７２】
格納部１２および画像記憶部２０は、ＲＡＭ１０４、ＥＥＰＲＯＭ１０８、ＨＤＤ１１０（図４）に含まれる所定の領域として提供される。その他の部位は、典型的に、ＣＰＵ１０２（図４）がプログラムをＲＡＭ１０４（図４）に展開し、各コマンドを実行することで提供される。
【００７３】
画像処理部１６は、画像記憶部２０に記憶された画像データに対して処理を行なう。画像処理部１６の行なう画像データの処理には、１枚の記録紙に複数（Ｎ）ページ分の画像データを集約するＮｉｎ１処理や、記録紙上の所定の位置にたとえば「社外秘」などの予め規定された画像や文字列をスタンプ画像として合成するスタンプ処理が含まれる。そして、Ｎｉｎ１処理における１枚の記録紙に展開させるページ数（Ｎ）や、スタンプ処理で表示させるスタンプ画像の内容やその位置などは、画像形成処理における処理条件に含まれる。
【００７４】
また、後処理部７でのパンチ処理におけるパンチ穴の位置および／または数、ステープル処理においてのステープル位置および／または数なども、画像形成処理における処理条件に含まれる。
【００７５】
格納部１２には、予め、条件設定用原稿から処理条件を判定するためのテンプレートとして、当該画像形成装置１００で可能な処理条件が画像情報として格納されている。図１４はステープル処理における処理条件を判定するためのテンプレートの具体例、図１５はパンチ処理における処理条件を判定するためのテンプレートの具体例、および図１６はＮｉｎ１（集約）処理における処理条件を判定するためのテンプレートの具体例を示す図である。
【００７６】
図１４を参照して、ステープル処理における処理条件の具体例として、原稿の左上の１か所をステープル針でとめる「左上１か所」、左辺近傍の上下２か所をステープル針でとめる「左２か所」、上辺近傍の左右２か所をステープル針でとめる「上２か所」、左辺近傍の中央１か所をステープル針でとめる「左中央１か所」、右上の１か所をステープル針でとめる「右上１か所」、右辺近傍の上下２か所をステープル針でとめる「右２か所」、下辺近傍の左右２か所をステープル針でとめる「下２か所」、右辺近傍の中央１か所をステープル針でとめる「右中央１か所」、および上辺近傍の中央１か所をステープル針でとめる「上中央１か所」、の９通りの処理条件が挙げられる。格納部１２には、それぞれの処理条件のステープル処理がなされているか否か（条件設定用原稿を読み込んで得られる画像データ上のステープル針の有無）を確認する領域（以下、条件確認領域という）を規定するテンプレートが格納されている。すなわち、「左上１か所」の処理条件に対しては条件設定用原稿を読み込んで得られる画像データの左上の所定範囲の領域を条件確認領域として規定するテンプレート、「左２か所」の処理条件に対しては左辺近傍の上下２か所の所定範囲の領域を条件確認領域として規定するテンプレート、「上２か所」の処理条件に対しては上辺近傍の左右２か所の所定範囲の領域を条件確認領域として規定するテンプレート、「左中央１か所」の処理条件に対しては左辺近傍の中央１か所の所定範囲の領域を条件確認領域として規定するテンプレート、「右上１か所」の処理条件に対しては右上の１か所の所定範囲の領域を条件確認領域として規定するテンプレート、「右２か所」の処理条件に対しては右辺近傍の上下２か所の所定範囲の領域を条件確認領域として規定するテンプレート、「下２か所」の処理条件に対しては下辺近傍の左右２か所の所定範囲の領域を条件確認領域として規定するテンプレート、「右中央１か所」の処理条件に対しては右辺近傍の中央１か所の所定範囲の領域を条件確認領域として規定するテンプレート、および「上中央１か所」の処理条件に対しては上辺近傍の中央１か所の所定範囲の領域を条件確認領域として規定するテンプレートが格納されている。
【００７７】
同様に、図１５を参照して、パンチ処理における処理条件の具体例として、原稿の左辺近傍の中央から対象に上下２か所にパンチ穴をあける「左２穴」、右辺近傍の中央から対象に上下２か所にパンチ穴をあける「右２穴」、上辺近傍の中央から対象に左右２か所にパンチ穴をあける「上２穴」、原稿の左辺近傍の中央および中央から対象に上下２か所の計３か所にパンチ穴をあける「左３穴」、原稿の右辺近傍の中央および中央から対象に上下２か所の計３か所にパンチ穴をあける「右３穴」、および原稿の上辺近傍の中央および中央から対象に左右２か所の計３か所にパンチ穴をあける「上３穴」、の６通りの処理条件が挙げられる。格納部１２には、それぞれの処理条件のパンチ処理がなされているか否か（条件設定用原稿を読み込んで得られる画像データ上のパンチ穴の有無）を確認する領域を条件確認領域として規定するテンプレートが格納されている。すなわち、「左２穴」の処理条件に対しては条件設定用原稿を読み込んで得られる画像データの左辺近傍の中央から対象に上下２か所の所定範囲の領域を条件確認領域として規定するテンプレート、「右２穴」の処理条件に対しては右辺近傍の中央から対象に上下２か所の所定範囲の領域を条件確認領域として規定するテンプレート、「上２穴」の処理条件に対しては上辺近傍の中央から対象に左右２か所の所定範囲の領域を条件確認領域として規定するテンプレート、「左３穴」の処理条件に対しては原稿の左辺近傍の中央および中央から対象に上下２か所の計３か所の所定範囲の領域を条件確認領域として規定するテンプレート、「右３穴」の処理条件に対しては原稿の右辺近傍の中央および中央から対象に上下２か所の計３か所の所定範囲の領域を条件確認領域として規定するテンプレート、および「上３穴」の処理条件に対しては原稿の上辺近傍の中央および中央から対象に左右２か所の計３か所の所定範囲の領域を条件確認領域として規定するテンプレートが格納されている。
【００７８】
同様に、図１６を参照して、Ｎｉｎ１（集約）処理における処理条件の具体例として、１枚の記録紙に１ページ分の画像データを集約する「１ｉｎ１」、２ページ分の画像データを集約する「２ｉｎ１」、４ページ分の画像データを集約する「４ｉｎ１」、９ページ分の画像データを集約する「９ｉｎ１」、および１６ページ分の画像データを集約する「１６ｉｎ１」、の５通りの処理条件が挙げられる。格納部１２には、それぞれの処理条件のＮｉｎ１（集約）処理がなされているか否か（条件設定用原稿を読み込んで得られる画像データ上の集約されたページ間のブランク（余白）の有無）を確認する領域を条件確認領域として規定するテンプレートが格納されている。すなわち、「１ｉｎ１」の処理条件に対しては条件設定用原稿を読み込んで得られる画像データに集約されたページ間のブランク（余白）がないためにその領域を規定しないテンプレート、「２ｉｎ１」の処理条件に対しては原稿の長手方向を二分するライン状の領域を条件確認領域として規定するテンプレート、「４ｉｎ１」の処理条件に対しては原稿の長手方向と短手方向とのそれぞれを二分割する十字状の領域を条件確認領域として規定するテンプレート、「９ｉｎ１」の処理条件に対しては原稿の長手方向と短手方向とのそれぞれを三分割する格子状の領域を条件確認領域として規定するテンプレート、および「１６ｉｎ１」の処理条件に対しては原稿の長手方向と短手方向とのそれぞれを四分割する格子状の領域を条件確認領域として規定するテンプレートが格納されている。
【００７９】
また、処理条件としてスタンプ処理の条件を読取るためのテンプレートとして、当該画像形成装置１００の画像処理部１６でスタンプ画像を表示させる位置を画像情報として規定するテンプレートや、当該画像形成装置１００の画像処理部１６で表示可能なスタンプ画像の内容を画像情報として規定するテンプレートが格納されている。
【００８０】
操作入力部１５は、開始キー６３が押下されたことによる操作信号を受け付けると、スキャナ制御部１３および画像情報判別部１７に対してその旨を示す信号を出力する。スキャナ制御部１３はその信号を受信すると原稿（条件設定用原稿）の読取動作を開始させる。
【００８１】
画像情報判別部１７はスキャナ３で条件設定用原稿がスキャンされて得られた画像データを取得し、その画像データを二値化処理した上で格納部１２に格納されているテンプレートと比較し、当該画像データから処理条件を判別する。
【００８２】
具体例として、画像情報判別部１７は、条件設定用原稿がスキャンされて得られた画像データを図１４に表わされた９通りのテンプレートのそれぞれにおける条件確認領域にステープルに対応する画像が存在するか否かをパターンマッチングにより判定することによって、パターンがマッチしたテンプレートに対応したステープル処理の条件を判別する。同様にして、画像情報判別部１７は、該画像データを図１５に表わされた６通りのテンプレートのそれぞれにおける条件確認領域にパンチ穴に対応する画像が存在するか否かをパターンマッチングにより判定することによって、パターンがマッチしたテンプレートに対応したパンチ処理の条件を判別する。同様にして、画像情報判別部１７は、該画像データの図１６に表わされた５通りの規定された条件確認領域に規定数以上の黒画素が存在する場合にＮｉｎ１処理がなされていないと判別し、いずれかのイレース箇所に規定数以上の黒画素が存在していない場合には該当するＮｉｎ１処理がなされていると判別する。
【００８３】
なお、画像形成装置によって、後処理部７に搭載される機能が異なる場合が想定される。たとえば、図１４の「条件１」は、ステープル処理を行なう機能として図１４に表わされた９通りの処理条件のうちの「左上１か所」および「左２か所」でステープル処理を行なう機能が搭載され、他の処理条件でステープル処理を行なう機能が搭載されていない場合を表わしている。また、「条件２」は、図１４に表わされた９通りの処理条件のすべてでステープル処理を行なう機能が搭載されている場合を表わしている。同様に、図１５の「条件１」は、パンチ処理を行なう機能として図１５に表わされた６通りの処理条件のうちの「左二穴」、「右二穴」、および「上二穴」でパンチ処理を行なう機能が搭載され、他の処理条件でパンチ処理を行なう機能が搭載されていない場合を表わしている。また、「条件２」は、「左三穴」、「右三穴」、および「上三穴」でパンチ処理を行なう機能が搭載され、他の処理条件でパンチ処理を行なう機能が搭載されていない場合を表わしている。同様に、図１６の「条件１」は、Ｎｉｎ１（集約）処理を行なう機能として図１６に表わされた６通りの処理条件のうちの「１ｉｎ１」、「２ｉｎ１」、および「４ｉｎ１」でＮｉｎ１（集約）処理を行なう機能が搭載され、他の処理条件でＮｉｎ１（集約）処理を行なう機能が搭載されていない場合を表わしている。また「条件２」は、図１６に表わされた５通りの処理条件のすべてでＮｉｎ１（集約）処理を行なう機能が搭載されている場合を表わしている。
【００８４】
格納部１２には、当該画像形成装置１００に搭載されている機能に対応した、テンプレートのみが格納されている。この結果、画像情報判別部１７は格納部１２に格納されているテンプレートを用いてパターンマッチングすることによって、条件設定用原稿がスキャンされて得られた画像データから判別される処理条件であって、当該画像形成装置１００の搭載する機能によって処理可能な処理条件を判別することになる。
【００８５】
または、図１４〜図１６に示される、すべての処理条件に対応するテンプレートを格納部１２に格納するとともに、それぞれ処理条件に対応する機能の搭載の有無を表わす情報が対応付けられて格納されていてもよい。この場合、画像情報判別部１７は、当該画像形成装置１００の搭載する機能によって処理可能な処理条件に対応するテンプレートのみを用いて判別する。なお、以下においては、格納部１２に画像形成装置１００に搭載されている機能に対応したテンプレートのみが記憶されている例（前者の例）について説明する。
【００８６】
なお、上述の画像情報判別部１７での判別方法は一例である。たとえば画像データの下地色が黒色である場合には白画素が存在しているか否かによって処理条件を判別する。また、処理条件として原稿サイズを判別する場合には、原稿上の印字可能な領域がテンプレートで規定されており、二値化処理後の画像データの当該領域を走査してその領域よりも外に下地色と反対の色の画素（たとえば黒画素）が所定数以上存在するか否かによって原稿サイズを判別することができる。綴じ代等も同様にして判別することができる。また、カラーか否かを判別する場合には、原稿上の印字領域がテンプレートで規定されており、画像データの当該領域を走査してその領域中に白・黒以外の色の画素が所定数以上存在するか否かによってカラーか否かを判別することができる。また、両面か否かを判別する場合には、予め対象の原稿の両面の画像データを取得し、その両画像データに対して印字領域に下地色と反対の色の画素（たとえば黒画素）が所定数以上存在するか否かによって両面か否かを判別することができる。
【００８７】
画像情報判別部１７は判別結果を処理条件として画像処理部１６および後処理制御部１１に渡す。画像処理部１６は、入力された判別結果を当該画像処理部１６での処理条件として設定する。また、後処理制御部１１は、後処理部７での処理条件として設定する。
【００８８】
＜処理手順＞
図７は、第１の実施の形態にかかる画像形成装置１００における判別処理の手順を示すフローチャートである。この処理は、開始キー６３が押下されることによって開始される。図７のフローチャートは、制御部１０のＣＰＵ１０２（図４）が予め格納されたプログラムを読込んで実行することで提供される。
【００８９】
図７を参照して、ＣＰＵ１０２は、スキャナ３に、条件設定用原稿の読取りを実行させ、それにより、当該原稿の画像データを取得する（ステップＳ１０１）。
【００９０】
次に、ＣＰＵ１０２は、画像形成装置１００がステープル処理を実行する機能を搭載している場合には取得した画像データからステープル処理についての処理条件を判別するための処理（ステップＳ１０２でＹＥＳ、ステップＳ１０３）、パンチ処理を実行する機能を搭載している場合にはパンチ処理についての処理条件を判別するための処理（ステップＳ１０４でＹＥＳ、ステップＳ１０５）、スタンプ処理を実行する機能を搭載している場合にはスタンプ処理についての処理条件を判別するための処理（ステップＳ１０６でＹＥＳ、ステップＳ１０７）、およびＮｉｎ１（集約）処理を実行する機能を搭載している場合にはＮｉｎ１処理についての処理条件を判別するための処理（ステップＳ１０８でＹＥＳ、ステップＳ１０９）を実行する。これらの処理順は図７の順に限定されない。
【００９１】
ＣＰＵ１０２は、これら処理によって得られた処理条件を、画像形成処理の処理条件として設定する（ステップＳ１１０）。そして、処理は終了する。なお、ステップＳ１１０での設定は、自動的になされるものであってもよいし、操作パネル６に可否を確認するメッセージを表示させ、それに応じたユーザ操作に基づいてなされてもよい。すなわちＣＰＵ１０２は、上記ステップＳ１０３、１０５、１０７、１０９のいずれかの処理によって条件設定用原稿から得られた画像データより処理条件が判別された場合に、たとえばその条件を指定された画像データの画像形成処理のための処理条件として設定してよいか否かを確認するメッセージを、ＹＥＳ，ＮＯを選択するボタンと共に操作パネル６に表示させ、ユーザからの操作入力を待機する。そして、ＹＥＳを指示する操作入力がなされた場合に、判別された条件を画像形成処理のための処理条件として設定するようにしてもよい。また、ＮＯを指示する操作入力がなされた場合には、判別された条件を破棄してもよいし、ＨＤＤ１１０などに記憶するようにしてもよい。
【００９２】
具体的な処理条件を判別するための処理として、上記ステップＳ１０３のステープル処理の処理条件を判別する処理について説明する。図８は、ステープル処理の処理条件を判別する処理の手順の具体例を示す図である。
【００９３】
図８を参照して、ＣＰＵ１０２は、格納部１２に格納されているステープル処理の処理条件を判別するための図１４のテンプレートを読み出して、それぞれのテンプレートを用いて上記ステップＳ１０１で得られた画像データにおける条件確認領域にステープルに対応する画像があるか否かをパターンマッチングにより判定する。
【００９４】
その結果、画像データの、図１４のテンプレートのうちの処理対象のテンプレートに含まれる条件確認領域内の部分がステープルに対応する画像とマッチした場合（ステップＳ２０１でＹＥＳ）、ＣＰＵ１０２は当該テンプレートに対応した処理条件でステープル処理がなされていると判定する（ステップＳ２０３）。一方、画像データのその条件確認領域のいずれの部分もステープルに対応する画像とマッチしない場合には、当該原稿は当該テンプレートに対応した処理条件でステープル処理がなされていないと判定する（ステップＳ２０５）。
【００９５】
ＣＰＵ１０２は、格納されているすべてのテンプレートについて上記ステップＳ２０１〜Ｓ２０５の処理を繰り返し、テンプレートに含まれる条件確認領域ごとにステープルの有無を特定する。そして、格納されているすべてのテンプレートについてパターンマッチングが完了すると（ステップＳ２０７でＮＯ）、ＣＰＵ１０２は、確認結果として、ステープル処理の有無と、さらに、されている場合にはその位置および数を特定し得る処理条件とを返し（ステップＳ２０９）、処理を図７のメインフローに戻す。
【００９６】
図８は、一例としてステープル処理の処理条件の判別処理を示しているが、パンチ処理やスタンプ処理等、他の処理での処理条件の判別処理も同様である。
【００９７】
このような判別処理が行なわれることで、ＣＰＵ１０２は読取られた原稿（条件設定用原稿）から画像形成処理での処理条件を判別することができる。そして、判別された処理条件が当該画像形成装置１００での画像形成処理のための処理条件として設定される。
【００９８】
この後、または判別処理の開始と同時に画像処理対象の画像データの指定を受け付けることで、ＣＰＵ１０２は、判別された処理条件を指定された画像データの処理条件として、当該画像データの画像形成処理を実行する。
【００９９】
これにより、ユーザは、手元にある原稿と同じ処理条件で、当該原稿から自身で処理条件を判別することなく、また、煩雑な設定操作を行なうことなく、容易な操作で指定する画像データの画像形成処理を行なわせることができる。
【０１００】
なお、図９に示したように、読取られた原稿から判別された処理条件を更新して新たな処理条件としてもよい。図９は、スタンプ処理の処理条件を判別する処理の手順の具体例を示す図である。
【０１０１】
図９を参照して、ＣＰＵ１０２は、格納されているスタンプ処理の処理条件を判別するためのテンプレートを読み出して、該テンプレートに基づいて上記ステップＳ１０１で得られた画像データにスタンプが含まれるか否かを判定する。具体的には、ＣＰＵ１０２は、テンプレートに含まれる条件確認領域ごとに、所定数の黒画素があるか否かを確認する。
【０１０２】
条件確認領域に所定数の黒画素が存在する場合（ステップＳ３０１でＹＥＳ）、ＣＰＵ１０２はその条件確認領域にスタンプ処理がなされていると判定する（ステップＳ３０３）。一方、所定数の黒画素が存在しない場合には、その条件確認領域にはスタンプ処理がなされていないと判定する（ステップＳ３０５）。
【０１０３】
スタンプ処理の処理条件の判別処理では、条件確認領域にスタンプ処理がなされていると判別されると、さらに、ＣＰＵ１０２は、当該画像形成装置１００で合成可能なスタンプ画像を規定するテンプレートを読み出して比較する。格納されているいずれかのテンプレートのスタンプ画像と一致した場合（ステップＳ３０７でＹＥＳ）、ＣＰＵ１０２は、当該原稿にあるスタンプ画像を一致したスタンプ画像と特定する（ステップＳ３０９）。一方、いずれのテンプレートのスタンプ画像とも一致しない場合には（ステップＳ３０７でＮＯ９、ＣＰＵ１０２は当該画像形成装置１００にて合成可能なスタンプ画像ではないと判別する（ステップＳ３１１）。なお、ここでは完全な一致でなくてよく、ある程度の相関性をもって「一致」と判断してもよい。
【０１０４】
さらに、当該原稿のスタンプ画像が特定されると、ＣＰＵ１０２は、そのスタンプ画像を、画像形成処理のタイミングに応じて更新するか否かを判断する。たとえばスタンプ画像の内容が日付である場合、画像形成処理を実行する日を取得し、読取られたスタンプ画像の内容を取得された画像形成処理を実行する日に更新することが考えられる。また、スタンプ画像の内容がユーザのログイン情報である場合、画像形成処理を指示したユーザのログイン情報とすることが考えられる。また、スタンプ画像の内容が条件設定用原稿の元の画像データの格納場所である場合、当該スタンプ画像の内容を処理対象原稿として指定される画像データのその時点での格納場所とすることが考えられる。さらには、操作パネル６からの操作信号に基づいて、指定された文字列や画像としてもよい。
【０１０５】
スタンプ画像の更新の要否は、たとえば操作パネル６に要否を確認するメッセージを表示させ、それに応じたユーザ操作に基づいて行なわれてもよい。または、予めなされた設定に従って動的に更新後の内容が取得され、自動的に更新されてもよい。ＣＰＵ１０２は更新すると判断した場合には（ステップＳ３１３でＹＥＳ）、ＣＰＵ１０２は、当該原稿から特定されたスタンプ画像を、指示された内容、または予め規定した内容などの更新後のスタンプ画像とする（ステップＳ３１５）。
【０１０６】
ＣＰＵ１０２は、テンプレートで規定されている条件確認領域ごとに上記ステップＳ３０１〜Ｓ３１５の処理を繰り返し、条件確認領域ごとにスタンプ処理の有無およびその内容を特定する。そして、テンプレートで規定されているすべての条件確認領域について特定されると（ステップＳ３１７でＮＯ）、ＣＰＵ１０２は、テンプレートで規定されているすべての領域についての確認結果として、スタンプ処理の有無と、さらに、スタンプ処理が施されている場合にはその位置および内容をスタンプ処理の処理条件として返す（ステップＳ３１９）。ＣＰＵ１０２は、格納部１２に格納されている複数のテンプレートのそれぞれについて上述の処理を繰り返した後、処理を図７のメインフローに戻す。
【０１０７】
このような判別処理が行なわれることで、ＣＰＵ１０２は読取られた原稿における処理条件に加えて、それに基づいた更新後の処理条件も判別することができる。これにより、ユーザは、たとえばプリントの日時やプリント実行者の情報など、画像形成処理の実行のタイミングに応じたスタンプ画像を用いてスタンプ処理された原稿と同じ処理条件で画像データの画像形成処理を行なわせたいと考える場合、当該原稿から処理条件を判別したり、新たなスタンプ画像を生成する操作等をしたりすることなく、単に所定の操作を行なって画像形成装置１００に当該原稿の読取りを行なわせるのみで、指定する画像データの画像処理を容易にその処理条件で実行させることができる。
【０１０８】
なお、条件設定用原稿と処理対象原稿とが同じものである場合であって、条件設定用原稿を読取って得られた画像データから当該画像データの（元の）格納場所が判別される場合、具体例としてスタンプ画像としてその画像データの格納場所が合成されている場合など、ＣＰＵ１０２は処理条件を判別する処理と併せて当該画像データを判別された格納場所から読み出して、画像処理対象の画像データとして自動的に設定してもよい。
【０１０９】
＜変形例１＞
以上の例は、画像形成装置１００にて画像形成処理のための処理条件を設定する例を示している。しかしながら、図１の画像形成システムでは、制御装置２００にインストールされている画像形成装置１００の制御用のプログラム（ドライバ）を用いて、制御装置２００から画像形成装置１００での画像形成処理を制御することがある。
【０１１０】
具体的には、ユーザは画像形成装置１００で条件設定用原稿を読取らせて、画像形成装置１００に処理条件を判別させる。画像形成装置１００で判別された処理条件は制御装置２００に送信される。その後、ユーザは制御装置２００から、上記ドライバで処理条件として画像形成装置１００から送信された処理条件を選択することで設定し、処理対象の画像データを指定して画像形成装置１００に対して制御信号を出力する。これによって、指定された画像データが、画像形成装置１００で条件設定用原稿で判別された処理条件で画像形成処理されることになる。
【０１１１】
変形例１として、この場合について説明する。
変形例１で、画像形成装置１００のネットワーク制御部１９は、予め規定された制御装置２００に対して、処理条件を出力する。
【０１１２】
図１０は、変形例１にかかる画像形成装置１００における判別処理の手順を示すフローチャートである。図１０のフローチャートでは、図７のフローチャートのステップＳ１１０の処理に替えてステップＳ１１０’の処理が行なわれる。すなわち、変形例１では、画像形成装置１００のＣＰＵ１０２は条件設定用原稿を読取って得られた画像データから処理条件を判別すると（ステップＳ１０１〜Ｓ１０９）、その処理条件を、予めＨＤＤ１１０等に送信先として記憶されている制御装置２００に対して送信する（ステップＳ１１０’）。そして、処理は終了する。なお、送信先である制御装置２００は、予めユーザごとに制御装置２００が対応付けてＨＤＤ１１０に記憶されており、当該画像形成装置１００を操作したユーザのログイン情報に対応して特定されてもよい。または、画像形成装置１００で条件設定用原稿を読取らせるための操作入力に併せて送信先の制御装置２００を特定する情報が入力されてもよい。
【０１１３】
制御装置２００は画像形成装置１００から受信した処理条件をドライバに設定し、画像形成装置１００に対する画像処理の制御信号を生成する。
【０１１４】
これにより、制御装置２００を用いて画像形成装置１００に画像形成処理を実行させる場合にも同様に、当該原稿から自身で処理条件を判別することなく、また、ドライバに対して煩雑な設定操作を行なうことなく、単に所定の操作を行なって画像形成装置１００に当該原稿の読取りを行なわせるのみで、容易にその処理条件を制御装置２００のドライバに設定することができる。それにより制御装置２００でその条件で画像形成装置１００に画像処理を実行させることができる。
【０１１５】
なお、変形例１において、制御装置２００はＮｉｎ１（集約）処理や、スタンプ画像を合成する処理などの画像形成処理を行なう機能を有してもよい。その場合、制御装置２００は、画像形成装置１００から受信した処理条件のうち、自身に搭載している機能で実行することができる画像形成処理についての処理条件を用いて、処理対象の画像データの画像処理を行ない、処理後の画像データを画像形成装置１００に送信して出力させてもよい。
【０１１６】
さらに、変形例１の判別処理は、制御装置２００を操作して画像形成装置１００で読取った画像データを他の装置に送信する場合にも応用することができる。他の装置に送信する方法としては、ファクシミリ機構による画像データの送信、インターネット機構によるインターネットファクシミリでの画像データの送信、電子メールでの画像データの送信、ＦＰＴ（File Transfer Protocol）などの通信プロトコルによる画像データの送信、ＵＳＢ（Universal Serial Bus）メモリなどの記録媒体や他の記憶装置への画像データの書込、などが挙げられる。
【０１１７】
この場合、制御装置２００は、画像形成装置１００から受信した処理条件を送信条件設定に反映させた上で画像データを上記の方法で送信する。または、上述のように、画像形成装置１００から受信した処理条件を用いて画像データの画像処理を行ない、処理後の画像データを上記の方法で送信してもよい。
【０１１８】
このようにすることによって、画像データを送信する際にも、同様に、簡単な操作で送信条件を設定することができ、また、送信される画像データの状態を予め原稿を見本として確認することができるために意図した状態で画像データを送信することができる。
【０１１９】
＜変形例２＞
以上の例は、画像形成装置１００にて対象の原稿を読取って、その画像データから処理条件を判別する例を示している。しかしながら、画像形成装置１００での画像データの取得は、原稿の読取りに限定されない。他の例として、画像形成装置１００は、その他、ファクシミリ機構による画像データの受信、インターネット機構によるインターネットファクシミリでの画像データの受信、電子メールでの画像データの受信、ＦＴＰなどの通信プロトコルによる画像データの受信、ＵＳＢメモリなどの記録媒体や他の記憶装置を読取ることによる画像データの取得、などによって、元は印刷物であった原稿画像データを取得してもよい。そして、画像形成装置１００は、取得した画像データから処理条件を判別してもよい。変形例２として、この場合について説明する。
【０１２０】
図１１は、変形例２にかかる画像形成装置１００における判別処理の手順を示すフローチャートである。図１１のフローチャートでは、図７のフローチャートのステップＳ１０１の処理に替えてステップＳ１０１’の処理が行なわれる。すなわち、変形例２では、画像形成装置１００においてファクシミリやインターネットファクシミリなどによって画像データを取得すると、ＣＰＵ１０２はその画像データを記憶する。そして、ＣＰＵ１０２は、以降、ステープル処理を実行する機能を搭載している場合には受信した画像データからステープル処理についての処理条件（ステップＳ１０２でＹＥＳ、ステップＳ１０３）、パンチ処理を実行する機能を搭載している場合にはパンチ処理についての処理条件（ステップＳ１０４でＹＥＳ、ステップＳ１０５）、スタンプ処理を実行する機能を搭載している場合にはスタンプ処理についての処理条件（ステップＳ１０６でＹＥＳ、ステップＳ１０７）、およびＮｉｎ１（集約）処理を実行する機能を搭載している場合にはＮｉｎ１処理についての処理条件（ステップＳ１０８でＹＥＳ、ステップＳ１０９）を判別し、判別された処理条件を設定する（ステップＳ１１０）。そして、処理は終了する。ステップＳ１１０では変形例１と同様に、予め設定されている制御装置２００に対して処理条件を送信してもよい。
【０１２１】
［第２の実施の形態］
第１の実施の形態では、画像形成装置１００において画像形成処理の処理条件が判別される例が説明されている。しかしながら、処理条件の判別処理は画像形成装置１００で実行されるのみでなく、画像形成装置１００と通信する制御装置２００において行なわれてもよい。その例について第２の実施の形態において説明する。
【０１２２】
＜制御装置の制御構造＞
図１２は、第２の実施の形態にかかる制御装置２００の制御構造を示すブロック図である。
【０１２３】
図１２を参照して、制御装置２００は、画像データを取得するための画像取得部２１１と、判別処理で用いられるテンプレートを格納するための格納部２１２と、画像形成装置１００を制御するための制御部２１３と、図示しないキーボードなどからユーザ操作に応じた信号の入力を受け付けるための操作入力部２１５と、判別処理を行なって画像データから処理条件を判別するための画像情報判別部２１７と、外部通信Ｉ／Ｆ１１１でのネットワーク通信を制御するためのネットワーク制御部２１９とを含む。
【０１２４】
格納部２１２は、ＲＡＭ１０３、ＥＥＰＲＯＭ１０７、ＨＤＤ１０９（図５）に含まれる所定の領域として提供される。その他の部位は、典型的に、ＣＰＵ１０１（図５）がプログラムをＲＡＭ１０３（図５）に展開し、各コマンドを実行することで提供される。
【０１２５】
第２の実施の形態では、制御装置２００の格納部２１２に、画像形成装置１００での処理条件を判定するためのテンプレートが格納されている。なお、画像形成システムに複数の画像形成装置が含まれる場合、格納部２１２には画像形成装置ごとにテンプレートが格納されている。この場合、画像形成処理を行なわせる画像形成装置に対応したテンプレートが用いられる。
【０１２６】
画像取得部２１１は操作入力部２１５からの操作信号に基づいた信号に応じて画像形成装置１００等にアクセスして指定された画像データを取得する。画像データの取得先は、画像形成装置１００等によって変更されてもよい。
【０１２７】
画像情報判別部２１７は、画像取得部２１１で取得した画像データを二値化処理した上で格納部２１２に格納されているテンプレートを用いて、当該画像データから処理条件を判別する。画像情報判別部２１７は第１の実施の形態にかかる画像形成装置１００に含まれる画像情報判別部１７と同様である。
【０１２８】
＜処理手順＞
図１３は、第２の実施の形態にかかる制御装置２００における判別処理の手順を示すフローチャートである。この処理は、図示しないキーボード等の入力装置によって対象となる画像データが指定されて処理の開始の指示が入力されることによって開始される。図１３のフローチャートは、代表的に、ＣＰＵ１０１（図５）が予め格納された画像形成装置１００を制御するためのプログラム（ドライバ）を読込んで実行することで提供される。
【０１２９】
図１３を参照して、ＣＰＵ１０１は、たとえば画像形成装置１００などの所定の装置にアクセスし、条件設定用原稿を読取って得られた画像データであって、指定された画像データを取得する（ステップＳ４０１）。
【０１３０】
次に、ＣＰＵ１０１は、画像データの処理を実行させる画像形成装置１００がステープル処理を実行する機能を搭載している場合には取得した画像データからステープル処理についての処理条件を判別するための処理（ステップＳ４０２でＹＥＳ、ステップＳ４０３）、パンチ処理を実行する機能を搭載している場合にはパンチ処理についての処理条件を判別するための処理（ステップＳ４０４でＹＥＳ、ステップＳ４０５）、スタンプ処理を実行する機能を搭載している場合にはスタンプ処理についての処理条件を判別するための処理（ステップＳ４０６でＹＥＳ、ステップＳ４０７）、およびＮｉｎ１（集約）処理を実行する機能を搭載している場合にはＮｉｎ１処理についての処理条件を判別するための処理（ステップＳ４０８でＹＥＳ、ステップＳ４０９）を実行する。これらの処理は、図７のステップＳ１０３〜Ｓ１０９で説明された第１の実施の形態にかかる画像形成装置１００で実行される処理と同様である。また、これら処理順は図１３の順に限定されない。
【０１３１】
さらに、ＣＰＵ１０１は、これら処理によって得られた処理条件を、画像形成処理の処理条件としてドライバに設定する（ステップＳ４１３）。そして、処理は終了する。
【０１３２】
この後、または上記判別処理の開始と同時に制御装置２００は画像処理対象の画像データの指定を受け付け、指定された画像データ、または当該画像データを特定する情報を画像形成処理の対象の画像データとして、上記処理条件に基づいた出力処理と共に画像形成装置１００に送信する。これにより、制御装置２００は画像形成装置１００に対して判別された処理条件で指定された画像データの画像形成処理を実行させることができる。
【０１３３】
このような判別処理が行なわれることで、制御装置２００のＣＰＵ１０１は画像形成装置１００等に記憶されている、条件設定用原稿を読取って得られた画像データから当該画像形成装置１００にて処理可能な画像形成処理での処理条件を判別することができる。そして、ＣＰＵ１０１は、判別した処理条件をドライバに自動的に設定する。これにより、ユーザは、制御装置２００で画像形成装置１００の画像形成処理を制御する場合であっても、容易に、記憶されている画像データの処理条件で画像処理を実行させることができる。
【０１３４】
さらに、上述の判別処理を画像形成装置１００や制御装置２００に実行させるためのプログラムを提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１３５】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１３６】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１３７】
提供されるプログラム製品は、ハードディスクなどのプログラム格納部にインストールされて実行される。なお、プログラム製品は、プログラム自体と、プログラムが記録された記録媒体とを含む。
【０１３８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３９】
２  自動原稿搬送部、３  スキャナ、４  プリントエンジン、５  給紙部、６  操作パネル、７  後処理部、１０，２１３  制御部、１１  後処理制御部、１２，２１２  格納部、１３  スキャナ制御部、１４  プリンタ制御部、１５，２１５  操作入力部、１６  画像処理部、１７，２１７  画像情報判別部、１９，２１９  ネットワーク制御部、２０  画像記憶部、２１  原稿給紙台、２２，５２，５３，５４  送出ローラ、２３  レジストローラ、２４  搬送ドラム、２５  排紙台、２６  手差給紙部、３１  第１ミラーユニット、３２  第２ミラーユニット、３３  結像レンズ、３４  撮像素子、３５  プラテンガラス、４１，４１Ｙ，４１Ｍ，４１Ｃ，４１Ｋ  感光体ドラム、４３Ｙ，４３Ｍ，４３Ｃ，４３Ｋ  画像書込部、４４Ｙ，４４Ｍ，４４Ｃ，４４Ｋ  イメージングユニット、４７  定着装置、５１  タイミングローラ、５５  搬送ローラ、５７  トレイ、６１  表示部、６２  テンキー、６３  開始キー、１００  画像形成装置、１０３，１０４  ＲＡＭ、１０５，１０６  ＲＯＭ、１０７，１０８  ＥＥＰＲＯＭ、１１５，１１６  内部バス、２００，２００Ａ，２００Ｂ  制御装置、２１１  画像取得部、３００  通信回線、３１１，３５１  光源、３１２，３２１，３５２，３５３  ミラー、４４１Ｙ，４４１Ｍ，４４１Ｃ，４４１Ｋ  トナーユニット、４７１  加熱ローラ、４７２  加圧ローラ、１１２，１１１  外部通信Ｉ／Ｆ、１１３，１１４  内部通信Ｉ／Ｆ。
【図１】
0005120425.tif 000002
【図２】
0005120425.tif 000003
【図３】
0005120425.tif 000004
【図４】
0005120425.tif 000005
【図５】
0005120425.tif 000006
【図６】
0005120425.tif 000007
【図７】
0005120425.tif 000008
【図８】
0005120425.tif 000009
【図９】
0005120425.tif 000010
【図１０】
0005120425.tif 000011
【図１１】
0005120425.tif 000012
【図１２】
0005120425.tif 000013
【図１３】
0005120425.tif 000014
【図１４】
0005120425.tif 000015
【図１５】
0005120425.tif 000016
【図１６】
0005120425.tif 000017